(57)【要約】【課題】不陸が生じている壁面であっても、配管支持部材を規定された位置に確実に取り付けることができるとともに、配管支持部材にカバー体を良好に取り付けることのできる配管カバーを提供する。【解決手段】配管５０を壁面に支持する配管支持部材１１と、配管支持部材１１に係合し、配管５０及び配管支持部材１１を覆うカバー体１２とで配管カバー１０を構成する。配管支持部材１１の壁面への取付部１１ａに、壁面側に突出する球面状凸部１１ｅを設け、球面状凸部１１ｅの中心部に、配管支持部材１１を壁面に取り付けるねじ部材１４の挿通孔１１ｆを形成したする。【選択図】  図１
2007327562.tif 000002
【特許請求の範囲】
【請求項１】
配管を壁面に支持する配管支持部材と、該配管支持部材に係合し、前記配管及び配管支持部材を覆うカバー体とを備えた配管カバーにおいて、前記配管支持部材の前記壁面への取付部に、前記壁面側に突出する球面状凸部を設け、該球面状凸部の中心部に、前記配管支持部材を前記壁面に取り付けるねじ部材の挿通孔を形成したことを特徴とする配管カバー。
【請求項２】
前記配管支持部材の幅方向両側縁部の長手方向に前記壁面方向に突出するリブを設けたことを特徴とする請求項１記載の配管カバー。
【発明の詳細な説明】
【技術分野】
【０００１】
本発明は、水道管やガス管などの配管を支持して建物の壁面に固定する配管カバーに関する。
【背景技術】
【０００２】
従来、水道管やガス管などの配管を壁面に配設する際には、外観性及び美観の点から配管カバーで覆うようにしている。この配管カバーは、配管を壁面に支持する配管支持部材と、該配管支持部材に支持された配管を覆うカバー体とを備えている（例えば、特許文献１参照。）。
【特許文献１】特開平１１−１６６２５０号公報
【発明の開示】
【発明が解決しようとする課題】
【０００３】
上述の配管カバーでは、配管支持部材の壁面との当接面は平面状に形成されていることから、壁面に不陸が生じている場合、配管支持部材を正規の位置に精機の状態で取り付けることができず、美観を損なうことがあった。また、不陸が生じている場所に無理に配管支持部材をねじ部材で固定させると、配管支持部材が変形し、該配管支持部材にカバー体を取り付けられない虞があった。
【０００４】
そこで本発明は、不陸が生じている壁面であっても、配管支持部材を規定された位置に確実に取り付けることができるとともに、配管支持部材にカバー体を良好に取り付けることのできる配管カバーを提供することを目的としている。
【課題を解決するための手段】
【０００５】
上記の目的を達成するため本発明は、配管を壁面に支持する配管支持部材と、該配管支持部材に係合し、前記配管及び配管支持部材を覆うカバー体とを備えた配管カバーにおいて、前記配管支持部材の前記壁面への取付部に、前記壁面側に突出する球面状凸部を設け、該球面状凸部の中心部に、前記配管支持部材を前記壁面に取り付けるねじ部材の挿通孔を形成したことを特徴とし、前記配管支持部材の幅方向両側縁部の長手方向に前記壁面方向に突出するリブを設けてもよい。
【発明の効果】
【０００６】
本発明の配管カバーによれば、配管支持部材に壁面側に突出する球面状凸部を設けたことにより、取付位置の壁面に不陸が生じていても、配管支持部材の取付高さや取付角度を微調整でき、配管支持部材を正規の位置に取り付けることができ、また、前記不陸によって配管支持部材が変形することを防止できる。さらに、配管支持部材の幅方向両側縁部の長手方向に連続して前記壁面方向に突出するリブを設けたことにより、壁面との間の隙間を目立たなくすることができる。
【発明を実施するための最良の形態】
【０００７】
図１及び図２は本発明の配管カバーの一形態例を示すもので、図１は施工状態を示す断面図、図２は分解斜視図である。配管カバー１０は、壁２０と天井３０とのコーナー部に取り付けられる廻り縁４０の下方に沿って配設された配管５０を支持するとともに覆うためのもので、塩化ビニルやＡＢＳ樹脂等の合成樹脂を射出成形して形成されている。この配管カバー１０は、配管５０を壁２０に支持する配管支持部材１１と、該配管支持部材１１に係合し、配管５０及び配管支持部材１１を覆うカバー体１２とを備えている。
【０００８】
前記配管支持部材１１は、廻り縁４０の下端部に沿って壁２０に取り付けられる長尺の取付板１１ａと、該取付板１１ａから突設した環状係合部１１ｂとを備えている。取付板１１ａの両側縁部には、前記カバー体１２を係合させる係合凸部１１ｃ，１１ｃがそれぞれ形成されるとともに、取付板１１ａの幅方向中央部には、配管支持部材１１を壁２０に取り付けるための取付部１１ｄが、長手方向に所定間隔で複数形成されている。各取付部１１ｄには、壁２０側に突出する球面状凸部１１ｅと、該球面状凸部１１ｅの中心に形成されるねじ部材の挿通孔１１ｆとが形成され、該挿通孔１１ｆにねじ部材１４を挿通して壁２０にねじ込むことによって、配管支持部材１１が壁２０に取り付けられる。また、取付板１１ａの幅方向両側縁部長手方向には、先端が断面円弧状のリブ１１ｇ，１１ｇが壁２０側に突設され、該リブ１１ｇ，１１ｇの先端は、前記球面状凸部１１ｅよりも突出量が小さく形成されている。環状係合部１１ｂは、前面側にスリット１１ｈを備えた断面Ｃ字状に形成され、取付板１１ａの所定の位置に突設され、前記配管５０はスリット１１ｈを押し広げて環状係合部１１ｂに圧入されることによって支持される。
【０００９】
前記カバー体１２は、前記配管支持部材１１の係合凸部１１ｃ，１１ｃに係合する係合凹部１２ａ，１２ａを両端に備えた断面コ字状に形成され、配管５０及び配管支持部材１１を覆う。また、カバー体１２は、所定の長さに形成されたものを繋げて用いられ、両端部には印籠継ぎのための凸部１２ｂと凹部１２ｃとがそれぞれ設けられている。カバー体１２の前面側一側方には、前記廻り縁４０の前面を覆う化粧板１３が一体的に突出している。
【００１０】
このように形成された配管カバー１０は、配管支持部材１１の各挿通孔１１ｆにねじ部材１４を挿通し、該ねじ部材１４を壁２０にねじ込むことによって、配管支持部材１１を壁２０の規定された位置に取り付ける。このとき、壁２０の壁面に不陸が生じていても、球面状凸部１１ｅによって、配管支持部材１１の取付高さや取付角度を微調整でき、配管支持部材１１を正規の位置に精機の状態で取り付けることができ、また、前記不陸によって配管支持部材１１が変形することを防止できる。壁２０に取り付けられた配管支持部材１１の環状係合部１１ｂに配管５０を圧入して支持させる。カバー体１２の凸部１２ｂを、連結するカバー体１２の凹部１２ｃに挿入して複数のカバー体１２を印籠継ぎしながら、各カバー体１２の係合凹部１２ａ，１２ａを、配管支持部材１１の係合凸部１１ｃ，１１ｃに係合させることによって、複数のカバー体１２で配管５０及び配管支持部材１１を覆うとともに、カバー体１２の化粧板１３が、廻り縁４０の前面を覆う。さらに、球面状凸部１１ｅよりも突出量が小さなリブ１１ｇ，１１ｇを設けたことにより、球面状凸部１１ｅによる角度調整作用を損なわずに壁２０との間の隙間を目立たなくすることができる。
【００１１】
このように、配管支持部材１１の取付部１１ｄに壁面側に突出する球面状凸部１１ｅを設けたことにより、取付位置の壁面に不陸が生じていても、配管支持部材１１の取付高さや取付角度を微調整でき、配管支持部材１１を正規の位置に正規の状態で取り付けることができる。これにより、配管支持部材１１を安定性良く壁２０に取り付けることができるとともに不陸によって配管支持部材１１が変形することを防止でき、配管支持部材１１にカバー体１２を良好な状態で取り付けることができる。
【００１２】
さらに、化粧板１３が、廻り縁４０の前面を覆うので、外観性及び美観の向上を図ることができ、配管カバー１０に、壁紙や天井の色に応じて適宜着色したり地模様を付けたりすることにより、デザイン性を更に向上させることができる。
【００１３】
なお、配管カバーにおける配管支持部材及びカバー体は、配管の径など応じて任意の形状で形成することが可能であり、廻り縁等を覆う化粧板は省略することができる。また、壁面以外の天井などに配管を配設する際にも使用することができる。
【図面の簡単な説明】
【００１４】
【図１】本発明の一形態例を示す配管カバーの施工状態を示す断面図である。
【図２】同じく分解斜視図である。
【符号の説明】
【００１５】
１０…配管カバー、１１…配管支持部材、１１ａ…取付板、１１ｂ…環状係合部、１１ｃ…係合凸部、１１ｄ…取付部、１１ｅ…球面状凸部、１１ｆ…挿通孔、１１ｇ…リブ、１１ｈ…スリット、１２…カバー体、１２ａ…係合凹部、１２ｂ…凸部、１２ｃ…凹部、１３…化粧板、１４…ねじ部材、２０…壁、３０…天井、４０…廻り縁、５０…配管
【図１】
2007327562.tif 000003
【図２】
2007327562.tif 000004